(57)【要約】【課題】受信装置に第２アンテナ部が接続された場合は、第１アンテナ部と第２アンテナ部の受信状態が良好な方のアンテナ部で受信された信号が再生出力されるようにする。【解決手段】第２アンテナ部（ヘッドフォン１７）が接続された際に、第１アンテナ部（ホイップアンテナ１）と第２アンテナ部の受信状態の評価値（例えば電界強度の検出値）を用いて、使用するアンテナ部の選択制御を行う。【選択図】図１
2009272947.tif 000002
【特許請求の範囲】
【請求項１】
本体に備えられる第１アンテナ部と、
上記本体に着脱可能な第２アンテナ部が接続されたか否かを検出するアンテナ接続検出部と、
上記第１アンテナ部又は上記第２アンテナ部の一方を選択するアンテナ選択部と、
上記アンテナ選択部で選択されているアンテナ部を用いた受信復調処理を行う復調部と、
上記アンテナ選択部で選択されているアンテナ部による受信状況の評価値を検出する評価値検出部と、
上記アンテナ接続検出部によって上記第２アンテナ部が非接続であると検出されている際は、上記アンテナ選択部に上記第１アンテナ部を選択させ、上記アンテナ接続検出部によって上記第２アンテナ部の接続が検出されている際は、上記評価値検出部によって検出される評価値を用いた処理により上記アンテナ選択部の選択状態を制御するアンテナ切換制御部と、
を備えた受信装置。
【請求項２】
上記アンテナ切換制御部は、上記アンテナ接続検出部によって上記第２アンテナ部の接続が検出されている際には、上記評価値を所定の基準値と比較した結果に基づいて、上記アンテナ選択部の選択状態を制御する請求項１に記載の受信装置。
【請求項３】
上記アンテナ切換制御部は、上記アンテナ接続検出部によって上記第２アンテナ部が接続されたことが検出された時点で、上記アンテナ選択部に上記第２アンテナ部を選択させ、その後、上記第２アンテナ部の接続が検出されている期間において、上記評価値を所定の基準値と比較した結果に基づいた上記アンテナ選択部の選択状態の制御を行う請求項２に記載の受信装置。
【請求項４】
上記第２アンテナ部は、アンテナ機能を備えるヘッドフォンである請求項３に記載の受信装置。
【請求項５】
上記アンテナ切換制御部は、上記アンテナ接続検出部によって上記第２アンテナ部の接続が検出されている際には、上記アンテナ選択部に上記第１アンテナ部を選択させた際に上記評価値検出部によって検出される評価値と、上記アンテナ選択部に上記第２アンテナ部を選択させた際に上記評価値検出部によって検出される評価値とを比較した結果に基づいて、上記アンテナ選択部の選択状態を制御する請求項１に記載の受信装置。
【請求項６】
第１アンテナ部が備えられる受信装置本体に着脱可能な第２アンテナ部が接続されたか否かを検出するステップと、
上記第２アンテナ部の接続が検出されている際に、上記第１アンテナ部又は上記第２アンテナ部の一方を、受信に用いるために選択するステップと、
選択されたアンテナ部を用いた受信復調処理の際に、受信状況の評価値を検出するステップと、
検出された上記評価値を用いた処理により上記第１アンテナ部と上記第２アンテナ部の選択状態の切換制御を行うステップと、
を備えた受信方法。
【発明の詳細な説明】
【技術分野】
【０００１】
本発明は、受信装置、受信方法に関するものである。
【背景技術】
【０００２】
【特許文献１】特開２０００−４０９７５号公報
【０００３】
例えば、現在、地上デジタルテレビジョン放送のサービスの一つである１セグメント放送（以下、ワンセグ放送という）を視聴するための機器としては、携帯電話や移動端末等、携帯用の機器（以下、携帯用端末機器という）がある。この携帯用端末機器には、ワンセグ放送の放送信号を受信するために、例えば、伸縮が可能なホイップアンテナ等が備えられている。
【０００４】
また、ワンセグ放送の放送信号を受信するには、携帯用端末機器に備えられているホイップアンテナ以外にも、アンテナ機能を搭載したヘッドフォン（以下、アンテナ機能付きヘッドフォンという）を携帯用端末機器に接続する方法がある。例えば、このアンテナ機能付きヘッドフォンのプラグを携帯用端末機器のヘッドフォンジャックへ接続することで、通常のヘッドフォンとしての機能（再生された音声が出力される機能）以外に、そのヘッドフォンの信号ラインをアンテナとして利用して放送信号等を受信することが可能となる。
【０００５】
ところが、このアンテナ機能付きヘッドフォンが携帯用端末機器に接続された場合、ホイップアンテナとの間で相互干渉が生じ、輻射感度が低下してしまうという不都合が起こる場合がある。このような不都合を解消するために、ホイップアンテナとアンテナ機能付きヘッドフォンのどちらで受信した放送信号を選択するかを決めるための切換スイッチを設けて、輻射感度の低下という不都合に対処していた。
しかし、この切換スイッチの操作は、その都度ユーザが手動で行わなければならず操作性が悪く、また切換え作業における手間もかかり、ユーザにとっては面倒な作業であった。
このような、ユーザにとって面倒な作業を行わせないための技術として、上記特許文献１のような技術が開示されている。
【０００６】
上記特許文献１に記載の信号受信再生装置では、アンテナ機能部を備えたヘッドフォンのプラグ部がジャック部に差し込まれていなければ、本体側に備えられているアンテナ部より受信された変調搬送波信号が音声信号再生処理部の入力端に供給される状態が自動的に設定される。そして、音声信号再生処理部から出力される再生音声信号に応じた再生音がスピーカ部から発せられる。
また、アンテナ機能を備えたヘッドフォンのプラグ部がジャック部に差し込まれているとき、つまりヘッドフォン接続時は、本体側のアンテナ部に代わって、ヘッドフォンのアンテナ機能部より受信された変調搬送波信号が音声信号再生処理部の入力端に供給される状態が自動的に設定される。そして、音声信号再生処理部から出力される再生音声信号によりヘッドフォンから再生音が出力される構成が開示されている。
つまり、ヘッドフォン非接続時は、本体側のアンテナ部が受信に用いられ、ヘッドフォン接続時には、ヘッドフォンによるアンテナ機能部が受信に用いられるように自動切換が行われるものである。
【発明の開示】
【発明が解決しようとする課題】
【０００７】
ところが、例えば、相対的に本体側のアンテナ部とヘッドフォンのアンテナ機能部において受信された信号の受信感度を比較した場合、本体側のアンテナ部において受信された信号の受信感度の方が良好な場合もある。すると、ヘッドフォン接続時に無条件にヘッドフォンのアンテナ機能部を用いて受信を行うことは、常に適切であるとは必ずしも言えないこととなる。
【０００８】
そこで本発明は、受信装置に第２アンテナ部（例えばヘッドフォンによるアンテナ）が接続された場合は、第１アンテナ部と第２アンテナ部の受信状態が良好な方のアンテナ部で受信された信号が再生出力されるようにすることを目的とする。
【課題を解決するための手段】
【０００９】
本発明の受信装置は、本体に備えられる第１アンテナ部と、上記本体に着脱可能な第２アンテナ部が接続されたか否かを検出するアンテナ接続検出部と、上記第１アンテナ部又は上記第２アンテナ部の一方を選択するアンテナ選択部と、上記アンテナ選択部で選択されているアンテナ部を用いた受信復調処理を行う復調部と、上記アンテナ選択部で選択されているアンテナ部による受信状況の評価値を検出する評価値検出部と、上記アンテナ接続検出部によって上記第２アンテナ部が非接続であると検出されている際は、上記アンテナ選択部に上記第１アンテナ部を選択させ、上記アンテナ接続検出部によって上記第２アンテナ部の接続が検出されている際は、上記評価値検出部によって検出される評価値を用いた処理により上記アンテナ選択部の選択状態を制御するアンテナ切換制御部とを備える。
【００１０】
また、上記アンテナ切換制御部は、上記アンテナ接続検出部によって上記第２アンテナ部の接続が検出されている際には、上記評価値を所定の基準値と比較した結果に基づいて、上記アンテナ選択部の選択状態を制御する。
また、上記アンテナ切換制御部は、上記アンテナ接続検出部によって上記第２アンテナ部が接続されたことが検出された時点で、上記アンテナ選択部に上記第２アンテナ部を選択させ、その後、上記第２アンテナ部の接続が検出されている期間において、上記評価値を所定の基準値と比較した結果に基づいた上記アンテナ選択部の選択状態の制御を行う。
また、上記第２アンテナ部は、アンテナ機能を備えるヘッドフォンである。
また、上記アンテナ切換制御部は、上記アンテナ接続検出部によって上記第２アンテナ部の接続が検出されている際には、上記アンテナ選択部に上記第１アンテナ部を選択させた際に上記評価値検出部によって検出される評価値と、上記アンテナ選択部に上記第２アンテナ部を選択させた際に上記評価値検出部によって検出される評価値とを比較した結果に基づいて、上記アンテナ選択部の選択状態を制御する。
【００１１】
本発明の受信方法は、第１アンテナ部が備えられる受信装置本体に着脱可能な第２アンテナ部が接続されたか否かを検出するステップと、上記第２アンテナ部の接続が検出されている際に、上記第１アンテナ部又は上記第２アンテナ部の一方を、受信に用いるために選択するステップと、選択されたアンテナ部を用いた受信復調処理の際に、受信状況の評価値を検出するステップと、検出された上記評価値を用いた処理により上記第１アンテナ部と上記第２アンテナ部の選択状態の切換制御を行うステップとを備える。
【００１２】
このような本発明では、第２アンテナ部が接続された際に、第１アンテナ部と第２アンテナ部の受信状態の評価値を用いてどちらのアンテナ部を選択するかを決めることが出来る。
また、受信状況の評価値は、アンテナ選択部で選択されているアンテナ部について検出するものである。つまり、２系統のアンテナによる受信状況を常時並行して監視するものではない。
【発明の効果】
【００１３】
このような本発明によれば、第１アンテナ部と第２アンテナ部が選択可能な状況においては、第１アンテナ部と第２アンテナ部それぞれの受信状態の評価値に基づいて、受信感度が良好なアンテナ部を選択することができる。これにより、例えばユーザは、第２アンテナ部を第１アンテナ部を備える受信装置に接続した場合、受信状態の良好である方のアンテナ部が受信した放送コンテンツの映像や音声を視聴することが出来る。
また、複数系統のアンテナの受信状況を常時並行して評価値として検出する構成ではないため、装置構成が不必要に複雑化することもない。
【発明を実施するための最良の形態】
【００１４】
以下、本発明の受信装置の実施の形態としての携帯用信号受信装置１００について説明する。
この実施の形態の携帯用信号受信装置１００は、地上デジタルテレビジョン放送のサービスの１つであるワンセグ放送の受信装置であるとする。なお、もちろん本発明の受信装置としての実施の形態は、ワンセグ放送以外を受信対象とする受信装置としても実現可能である。
【００１５】
本例の携帯用信号受信装置１００は、図１に示すように、ホイップアンテナ１、アンテナセレクタ２、フロントエンド３、電界強度検出部６、ＭＰＥＧデコード部７、制御部８、表示部１０、アナログ音声処理部１１、Ｄ／Ａ変換器１２、マスタクロック発生部１３、アンプ１４ａ、アンプ１４ｂ、スピーカ１５ａ、スピーカ１５ｂ、ヘッドフォンジャック１６、操作部２１を備える。
また、ヘッドフォン１７は、アンテナ機能を備え、携帯用信号受信装置１００に接続可能なアンテナ機能付きのヘッドフォンである。
【００１６】
ホイップアンテナ１は、携帯用信号受信装置１００の本体に備えられる伸縮自在のアンテナであり、ワンセグ放送電波を受信し、受信された高周波信号をアンテナセレクタ２へ供給する。
アンテナセレクタ２は、ホイップアンテナ１から供給される信号、又は、ヘッドフォン１７から供給される、ホイップアンテナ１と同様にワンセグ放送電波の受信による高周波信号のどちらか一方を、後述するアンテナ切換制御部９の制御に基づいて選択し、フロントエンド３へ供給する。
なお、ホイップアンテナ１は、本発明請求項でいう第１アンテナ部に相当する。また、アンテナセレクタ２は、本発明請求項でいうアンテナ選択部に相当する。
【００１７】
フロントエンド３は、アンプ４、ＯＦＤＭ（Orthogonal Frequency Division Multiplexing：直交波周波数分割多重）復調部５を備える。アンテナセレクタ２から供給された信号は、アンプ４において増幅されＯＦＤＭ復調部５へ入力される。
ＯＦＤＭ復調部５では、入力された信号について、ＯＦＤＭ復調処理や誤り訂正処理等を施すことで、ＴＳ（Transport Stream）を得るようにされる。この場合におけるＴＳとしては、例えばＭＰＥＧ２(Moving Picture Experts Group Layer2)方式によって、複数のプログラム（番組）のビデオ（映像）信号及びオーディオ（音声）信号を圧縮した圧縮データと、各種の付加情報が多重化されているものとなる。また、必要に応じて、データ放送サービスのためのデータ放送用データや字幕放送用データも多重化される。
【００１８】
また、上記したビデオ信号及びオーディオ信号を圧縮した圧縮データ、データ放送用データや字幕放送用データは、ＥＳ（Elementary Stream)として多重化される。放送側が挿入する付加情報としては、ＰＡＴ(Program Association Table)、ＰＭＴ(Program Map Table)などのテーブルを格納するＰＳＩ(Program Specific Information：番組特定情報）や、ＳＩ(Service Information:番組配列情報)などが挙げられる。
そして、上記情報の多重化は、ＴＳを所定バイトサイズのトランスポートストリーム・パケット（ＴＳパケット）により形成するようにして、このＴＳパケットに対して、上記したＥＳ及び各種付加情報を格納することにより行われる。
このようにＯＦＤＭ復調部５にて得られたＴＳはＭＰＥＧデコード部７へ供給される。
【００１９】
ＭＰＥＧデコード部７では、ＴＳとして入力されたデータについてスクランブル（暗号）がけられているときには、このスクランブルを解くためのスクランブル処理が実行される。
また、制御部８により設定されたフィルタ条件に従って、入力されたＴＳから必要なＴＳパケットを分離する。これにより、例えば、目的とする１つのプログラムについての、ＭＰＥＧ２方式により圧縮されたビデオデータと、圧縮されたオーディオデータを得ることになる。目的とする所要のデータ放送用データ、字幕放送用データ、ＥＰＧ（電子番組ガイド： Electrical Program Guide）のデータについてもＴＳパケットとして分離する。
そして、分離されたＴＳパケットのなかの圧縮ビデオデータ、圧縮オーディオデータをそれぞれＭＰＥＧ２フォーマットに従ってデコード処理を行い、ビデオデータとオーディオデータを得る。このデコード処理により得られたビデオデータについては、画質調整などを始めとした所要の信号処理を実行し、オーディオデータについては、ゲイン調整、音質調整、音量調整、音響効果の付加などの所要の信号処理を必要に応じて実行する。
そしてこのＭＰＥＧデコード部７で処理されたビデオデータは表示部１０へ出力され、オーディオデータはアナログ音声処理部１１のＤ／Ａ変換器１２へ出力される。
また、各種の付加情報が多重化されている場合はそのデータについてもＴＳパケットとして分離され、表示用画像データにされた後、表示部１０へ出力される。
なお、フロントエンド３及びＭＰＥＧデコード部７は、本発明請求項でいう復調部に相当する。
【００２０】
フロントエンド３におけるアンプ４の出力は、電界強度検出部６にも供給される。
電界強度検出部６は、入力される信号の電界強度を測定し、その測定結果を後述する制御部８が備えるアンテナ切換制御部９へ供給する。この電界強度検出部６における電界強度の測定は、アンテナに誘起された電圧を測定することで行われるものである。
【００２１】
表示部１０は、例えば液晶ディスプレイや有機ＥＬディスプレイによる表示パネル部と、この表示パネル部にビデオデータや表示用画像データを表示するための表示回路部を備えている。
そして、ＭＰＥＧデコード部７より送信されるビデオデータや表示用画像データを表示パネル部に表示するものである。
【００２２】
アナログ音声処理部１１は、Ｄ／Ａ変換器１２を備え、このＤ／Ａ変換器１２は、入力されたオーディオデータをアナログ信号のオーディオ信号に変換する。そして、Ｄ／Ａ変換器１２で変換されたオーディオ信号は、アナログ音声処理部１１において所定のアナログ音声信号処理が施される。
アナログ音声処理部１１により所定の音声処理が施されたオーディオ信号のＲチャンネルはアンプ１４ａを介してスピーカ１５ａに供給され、このスピーカ１５ａより音声として出力される。また、オーディオ信号のＬチャンネルはアンプ１４ｂを介してスピーカ１５ｂに供給され、スピーカ１５ｂより音声として出力される。
また、ヘッドフォン１７のプラグがヘッドフォンジャック１６に差し込まれている場合、オーディオ信号のＲチャンネル、Ｌチャンネル双方は、ヘッドフォンジャック１６を介してヘッドフォン１７へ供給され、このヘッドフォン１７から音声として出力されるものである。
【００２３】
マスタクロック発生部１３は水晶系のクロック発生部であり、制御部８，ＭＰＥＧデコード部７、ＯＦＤＭ復調部５、表示部１０、Ｄ／Ａ変換器１２で用いる処理クロックの基準となるマスタクロックを発生させる。
【００２４】
操作部２１は、図示しない操作子等による入力デバイスであって、ユーザが各種操作入力やデータ入力を行う。
操作部２１で入力された情報は、制御部８に対して操作又はデータの入力情報として伝達され、この入力情報に基づき制御部８は処理を実行する。例えばユーザによる電源操作、選局操作、音量調整操作、モード操作などの操作が可能とされ、制御部８は操作に応じて必要各部に対する制御処理を行う。
【００２５】
制御部８は、例えばＣＰＵ（Central Processing Unit）、ＲＯＭ（Read Only Memory）、ＲＡＭ（Random Access Memory）、フラッシュメモリなどを有するマイクロコンピュータ（演算処理装置）によって構成され、携帯用信号受信装置１００の全体の動作を制御する。
例えば制御部８は、ＲＯＭに格納されているプログラム及び操作入力に基づいて図示する各部に対して動作指示を与え、受信信号の復調動作制御、表示動作制御、音声出力動作制御などを行う。
また本例においては特に、制御部８には、プログラムに基づいて実現される制御機能の１つとして、図示するアンテナ切換制御部９を備えることとなる。
【００２６】
アンテナ切換制御部９は、アンテナセレクタ２の切換制御を行う。即ちヘッドフォン１７の非接続時には、アンテナセレクタ２にホイップアンテナ１を選択させる。またアンテナ切換制御部９は、ヘッドフォン１７の接続時にはアンテナセレクタ２にホイップアンテナ１とヘッドフォン１７のどちらか一方を、放送信号を受信するアンテナ（受信アンテナ）として用いるように選択させる制御を行う。
ヘッドフォン１７の接続時には、ホイップアンテナ１とヘッドフォン１７の両方を受信アンテナとして使用可能な状態となるわけであるが、アンテナ切換制御部９は、受信状況の評価値を用いた処理によりアンテナセレクタ２の選択状態を制御する。
【００２７】
受信状況の評価値としては電界強度検出部６からの電界強度の測定結果の値を用いる。即ちアンテナセレクタ２でホイップアンテナ１を選択させている場合には、電界強度検出部６から供給される電界強度の測定結果が、ホイップアンテナ１を用いた場合の受信状況の評価値となる。またアンテナセレクタ２でヘッドフォン１７を選択させている場合には、電界強度検出部６から供給される電界強度の測定結果が、ヘッドフォン１７をアンテナとして用いた場合の受信状況の評価値となる。
アンテナ切換制御部９は、このようにもとめられる受信状況の評価値（以下、受信評価値という）に基づいて、ホイップアンテナ１又はヘッドフォン１７のどちらか一方を信号を受信するアンテナ（受信アンテナ）として選択するためにアンテナセレクタ２の制御を行うものである。
なお、アンテナ切換制御部９においてホイップアンテナ１とヘッドフォン１７の受信状況の受信評価値を得る手法としては電界強度の測定結果を用いる以外にもある。例えば、ＯＦＤＭ復調部５において求められるビットエラーレートやＣＮ比（Carrier to Noise ratio）、ＳＮ比（Signal to Noise ratio）の値を受信評価値として用いるようにしてもよい。このようにビットエラーレートやＣＮ比、ＳＮ比を受信評価値として用いる場合、電界強度検出部６を設ける必要はない。
【００２８】
また、アンテナ切換制御部９は、検出端子９ａを備え、後述するように、ヘッドフォンジャック１６へのヘッドフォン１７の接続有無の検出を行うことができるようにされている。
なお、アンテナ切換制御部９は、本発明請求項でいうアンテナ切換制御部に相当する。
また、電界強度検出部６（又はＯＦＤＭ復調部５においてビットエラーレートやＣＮ比、ＳＮ比をもとめる手段）は、本発明請求項でいう評価値検出部に相当する。
【００２９】
ここで、ヘッドフォンジャック１６に対するヘッドフォン１７の接続の有無の検出、及びヘッドフォン１７が接続された場合の携帯用信号受信装置１００内部での受信信号について図２を用いて説明する。
図２には、携帯用信号受信装置１００の内部構成のうち、ヘッドフォンジャック１６の周辺回路を詳しく示したものである。なお、図２において、図１と同じ構成部分は同一の符号を付して説明は省略し、また図示の都合上、図１に示したうちの一部の構成部分は省略している。
【００３０】
まず、ヘッドフォン１７のプラグが接続されるヘッドフォンジャック１６は、Ｒチャンネル（ｃｈ）端子１８と、Ｌチャンネル（ｃｈ）端子１９と、接続検出用端子２０と、グランド端子２２が備えられている。
Ｒｃｈ端子１８には、ヘッドフォンジャック１６にヘッドフォン１７のプラグが接続された際に、プラグ側のＲｃｈ端子１７ａが接触される。アナログ音声処理部１１からのＲチャンネルオーディオ信号ＳＲは、Ｒｃｈ端子１８及びプラグ側のＲｃｈ端子１７ａを介してヘッドフォン１７のＲチャンネルスピーカに供給される。
Ｌｃｈ端子１９には、ヘッドフォンジャック１６にヘッドフォン１７のプラグが接続された際に、プラグ側のＬｃｈ端子１７ｂが接触される。アナログ音声処理部１１からのＬチャンネルオーディオ信号ＳＬは、Ｌｃｈ端子１９及びプラグ側のＬｃｈ端子１７ｂを介してヘッドフォン１７のＬチャンネルスピーカに供給される。
また接地されているグランド端子２２には、プラグ側のグランド端子１７ｃが接触する。これによりヘッドフォン１７の共通グランドラインが接地される。
【００３１】
ここで、本例ではヘッドフォン１７のＲチャンネル信号ラインをアンテナとして利用する。このためＲｃｈ端子１８は、コンデンサＣ２とコンデンサＣ１（及びインダクタＬ２，Ｌ３による回路）を介してアンテナセレクタ２の端子ｔ３と接続されている。コンデンサＣ２は、オーディオ信号周波数帯域はカットし、受信高周波信号帯域は通過させる容量値とされている。つまりヘッドフォン１７が接続された際、Ｒチャンネルオーディオ信号ＳＲは、ヘッドフォン１７内のＲチャンネル信号ラインを通ってＲチャンネルスピーカに供給されるが、当該Ｒチャンネル信号ラインで受信された高周波信号はアンテナセレクタ２の端子ｔ３に導かれる構成を採る。
【００３２】
アンテナセレクタ２は、端子ｔ１、端子ｔ２、端子ｔ３を備えており、端子ｔ１に対し端子ｔ２、端子ｔ３を択一的に選択可能な構成とされる。
そして、端子ｔ２に対してはホイップアンテナ１が接続され、端子ｔ３に対してはコンデンサＣ１とコンデンサＣ２を介してＲｃｈ端子１８が接続される。
【００３３】
またヘッドフォンジャック１６の接続検出用端子２０は、アンテナ切換制御部９によるヘッドフォン１７の接続検出に用いられる。
図のように、接続検出用端子２０は、インダクタＬ３とインダクタＬ２を介してアンテナ切換制御部９の検出端子９ａと接続されている。また、インダクタＬ２と検出端子９ａの接続点に対しては、インダクタＬ１を介して電圧＋Ｂが印加される。
そして接続検出用端子２０は、ヘッドフォンジャック１６にヘッドフォン１７のプラグが接続された際に、プラグ側のグランド端子１７ｃが接触されるように形成されている。
【００３４】
ヘッドフォン１７の接続検出は次のようにして行われる。
ヘッドフォンジャック１６にヘッドフォン１７のプラグが接続されていない場合、電圧＋ＢがインダクタＬ１を介してアンテナ切換制御部９の検出端子９ａへ印加される。従って検出端子９ａの電圧レベルはＨ（ハイ）レベルとなる。
一方、ヘッドフォンジャック１６にヘッドフォン１７のプラグが接続されると、ヘッドフォンジャック１６側の接続検出用端子２０が、プラグ側のグランド端子１７ｃと接続される。これによって接続検出用端子２０はヘッドフォンジャック１６側のグランド端子２２と接続されることになり、つまりグランド電位となる。すると電圧＋Ｂによる直流電流はインダクタＬ１→インダクタＬ２→インダクタＬ３→接続検出用端子２０→グランド端子１７ｃ→グランド端子２２の経路でグランドに流れることになり、従ってアンテナ切換制御部９の検出端子９ａの電圧レベルはＬ（ロー）レベルとなる。
このように、アンテナ切換制御部９は、検出端子９ａの電圧のＨ／Ｌレベルの変化を基に、ヘッドフォン１７が接続されたか否かを判断することができる。
【００３５】
この場合、電圧＋Ｂによる直流電流は、コンデンサＣ１，Ｃ２によるＤＣカットによりＲチャンネルオーディオ信号系及び高周波信号系に影響を与えない。また、受信入力される高周波信号は、インダクタＬ２，Ｌ３により接続検出系に影響を与えない。
なお、ヘッドフォンジャック１６の接続検出用端子２０、アンテナ切換制御部９の検出端子９ａを含む上述の回路が、本発明請求項でいうアンテナ接続検出部に相当する。
【００３６】
アンテナ切換制御部９は、ヘッドフォン１７が接続されていない場合は、当然ながら、アンテナセレクタ２に端子ｔ２側、つまりホイップアンテナ１を選択させる。
一方、ヘッドフォン１７の接続が検出されている期間は、ホイップアンテナ１とヘッドフォン１７のアンテナ機能の両方が使用できるため、アンテナ切換制御部９は後述する処理により、受信状況に応じたアンテナセレクタ２の切換制御を行うことになる。
【００３７】
そしてヘッドフォン１７の接続時において、ホイップアンテナ１を受信アンテナとする場合、アンテナ切換制御部９はアンテナセレクタ２に端子ｔ２を選択させる。このとき、ホイップアンテナ１からアンテナセレクタ２へ供給された高周波信号が、アンプ４、ＯＦＤＭ復調部５、ＭＰＥＧデコード部７の処理に供される。そして表示部１０での表示動作や、ヘッドフォン１７での音声出力が行われる。
また、ヘッドフォン１７を受信アンテナとする場合、アンテナ切換制御部９はアンテナセレクタ２に端子ｔ３を選択させる。このとき、ヘッドフォン１７のＲチャンネル信号ラインで受信され、アンテナセレクタ２へ供給された高周波信号が、アンプ４、ＯＦＤＭ復調部５、ＭＰＥＧデコード部７の処理に供される。そして表示部１０での表示動作や、ヘッドフォン１７での音声出力が行われる。
【００３８】
そして本例では、このようにヘッドフォン１７が接続された場合のアンテナ選択に関し、アンテナ切換制御部９は、例えば電界強度検出部６から得られる受信状況の評価値を用いてアンテナセレクタ２の切換制御を行う。
以下に第１の実施の形態、第２の実施の形態として、アンテナ選択に関する処理の具体例を説明していく。
[第１の実施の形態]
【００３９】
図３に第１の実施の形態としてアンテナ切換処理手順の例を示す。
この図３に示す処理は、制御部８がそのプログラムに基づいて実行する処理であって、その制御機能の１つであるアンテナ切換制御部９による処理を示しているものである（後述する図４に示す処理についても同様である）。
【００４０】
図３の第１の実施の形態の処理は、次の（１）〜（３）考え方を基本とする処理である。
（１）ヘッドフォン１７の非接続時は無条件にホイップアンテナ１を選択して受信動作を行う。
（２）ヘッドフォン１７の接続が検出されたら、その時点ではヘッドフォン１７を受信アンテナとして用いるようにアンテナセレクタ２を切り換える。
（３）その後、ヘッドフォン１７が接続されている期間は、一定時間毎に受信状況を判定し、判定結果に応じて、ヘッドフォン１７とホイップアンテナ１の選択を行う。
【００４１】
携帯用信号受信装置１００の電源がＯＮとなったら、アンテナ切換制御部９は図３の処理開始する。即ち処理がステップＦ１０１からＦ１０２へ進む。
ステップＦ１０２においてアンテナ切換制御部９は、アンテナセレクタ２をホイップアンテナ１側の端子ｔ２を選択させる。
このステップＦ１０２のような処理を行うのは、例えばユーザが電源をＯＮとする操作を行ったとき、ヘッドフォン１７がヘッドフォンジャック１６に接続されていない場合も考えられることによる。そのため、電源ＯＮ時には、まず初期選択として、携帯用信号受信装置１００に備えられているホイップアンテナ１を受信アンテナとして選択する。
【００４２】
次にアンテナ切換制御部９はステップＦ１０３において、ヘッドフォンジャック１６にヘッドフォン１７のプラグが接続されている否かの判別を行う。
接続されたか否かの判別は、上記したようにアンテナ切換制御部９の検出端子９ａに印加される電圧レベルがＨレベルであるかＬレベルであるかを確認する処理となる。
そして、アンテナ切換制御部９は、ヘッドフォン１７が非接続であると判別している限りは、特に図３の処理を進めず、ステップＦ１０３の接続検出を行いながら、ホイップアンテナ１の選択状態を維持する。なお、この間、ホイップアンテナ１を受信アンテナとして用いた受信復調処理が行われることは言うまでもない。
【００４３】
ある時点でユーザがヘッドフォン１７を接続したとすると、アンテナ切換制御部９はその接続を検知し、処理をステップＦ１０４へ進める。なお、電源オンの当初から、ヘッドフォン１７が接続されていれば、電源オン直後にステップＦ１０４まで進むことになる。
ステップＦ１０４でアンテナ切換制御部９は、アンテナセレクタ２においてヘッドフォン１７の入力端子に切換えさせる処理を行わせる。つまり、ヘッドフォン１７と接続されている端子ｔ３が選択されるようにアンテナセレクタ２を制御するものである。
このようにステップＦ１０４においてアンテナ切換制御部９は、ヘッドフォン１７がヘッドフォンジャック１６に接続されたことを受けて、とりあえずは無条件に、受信アンテナをホイップアンテナ１からヘッドフォン１７へ切換るようにする。
【００４４】
ヘッドフォン１７の接続が行われ、２つのアンテナを使用可能となった状態で、ヘッドフォン１７を受信アンテナとして選択させた後は、アンテナ切換制御部９は、一定時間毎に受信状況の判定を行う。
まずアンテナ切換制御部９は、ステップＦ１０５で制御部８の内部タイマ処理としてタイムカウントをスタートさせ、ステップＦ１０６で所定時間が経過したか否かの判別を行う。
所定時間が経過するまでは、アンテナ切換制御部９はステップＦ１０７で、ヘッドフォン１７の接続状態の判別を行う。
もし、一定時間経過前に、ヘッドフォン１７が取り外された場合、ステップＦ１０７からＦ１０８へ進み、アンテナ切換制御部９は上記ステップＦ１０５でスタートさせたタイムカウントを終了させ、ステップＦ１０２に戻る。つまり、ヘッドフォン１７がアンテナとして使用できなくなったことに応じて、アンテナセレクタ２をホイップアンテナ１側に切り換えさせ、以降、ステップＦ１０３でヘッドフォン１７の接続検出を行う。
【００４５】
ヘッドフォン１７の接続が保たれた状態において一定時間を経過した場合は、アンテナ切換制御部９はステップＦ１０９へ進む。
ステップＦ１０９でアンテナ切換制御部９は、受信アンテナであるヘッドフォン１７を使用している現在の受信評価値を検出し、その受信評価値を記録（又は更新）する。
つまり、アンテナ切換制御部９は、電界強度検出部６において測定されたヘッドフォン１７が受信した信号の電界強度の測定結果を受信評価値とし、その受信評価値を制御部８内の記憶部（ＲＡＭ又は不揮発性メモリ等）に記録する。また、既に当該記憶部においてヘッドフォン１７の受信評価値が記憶されている場合、新たに検出した受信評価値に更新することになる。
【００４６】
続いて、ステップＦ１１０においてアンテナ切換制御部９は、上記ステップＦ１０９で得た現在の受信評価値が、予め定められた所定の受信評価値の基準値をクリアしているか否かの判別を行う。
この基準値とは、受信アンテナの受信感度の良い悪いを判断するための基準の閾値である。そして、現在の受信評価値がこの基準値以上の値であれば、現在の受信アンテナは或る程度良好な感度で受信していると判断できるものとする。
なお、基準値は、良好の受信状況としての電界強度値の最低レベルを示す値として、携帯用信号受信装置１００の製造時に予め制御部８のＲＯＭや不揮発性メモリ等に格納されているものとすればよい。
また、上述のように電界強度ではなく、エラーレートやＳＮ比を受信評価値として使用することもできるが、その場合、エラーレートやＳＮ比の値としての基準値が設定されていればよい。
【００４７】
アンテナ切換制御部９は、ステップＦ１１０で、現在の受信アンテナの受信評価値が基準値をクリアしており、受信アンテナは良好な感度で信号を受信しているとの判別結果が得られた場合は、ステップＦ１０５へ戻る。即ち、再び一定時間後の受信状況判定のためにタイムカウントをスタートさせる。
【００４８】
一方、ステップＦ１１０において、現在の受信アンテナの受信評価値が基準値を下回った、つまり受信状況が悪化していると判断した場合、アンテナ切換制御部９はステップＦ１１１に進む。この場合、アンテナセレクタ２においてホイップアンテナ１が選択されるようにする。
次に、ステップＦ１１２においてアンテナ切換制御部９は、電界強度検出部６において測定された、受信アンテナであるホイップアンテナ１が受信した信号の電界強度の測定結果としての受信評価値を検出する。そして、その現在のホイップアンテナ１に係る受信評価値を、制御部８の内部の記憶部（ＲＡＭ又は不揮発性メモリ等）に記録する。既に記憶部においてホイップアンテナ１の受信評価値が記憶されている場合は、新たに検出した受信評価値を最新の値として更新する。
【００４９】
そして、ステップＦ１１３でアンテナ切換制御部９は、上記ステップＦ１０９において記憶したヘッドフォン１７の受信評価値と、上記ステップＦ１１２において記憶したホイップアンテナ１の受信評価値とを比較する。
続くステップＦ１１４でアンテナ切換制御部９は、上記ステップＦ１１３でヘッドフォン１７の受信評価値とホイップアンテナ１の受信評価値とを比較した結果、どちらのアンテナが良好な受信感度であるかを判別する。
これは、上記ステップＦ１１０においてヘッドフォン１７の受信評価値が基準値を下まわり、ヘッドフォン１７の受信感度が悪い状態にあるので、ホイップアンテナ１と受信評価値を比較してより受信感度の良好な方を受信アンテナとして選択するためである。
【００５０】
そして、ステップＦ１１４においてアンテナ切換制御部９は、ヘッドフォン１７の受信感度の方が良好であるとの判別結果を得た場合は、ステップＦ１０４へ戻る。つまり受信状況の比較のために一旦ホイップアンテナ１側に切り換えたアンテナセレクタ２をヘッドフォン１７側に戻す。そしてステップＦ１０５から、再び一定時間を待機することになる。
【００５１】
また、ホイップアンテナ１の受信感度の方が良好であるとの判別結果を得た場合は、ステップＦ１１６に進む。
ステップＦ１１６に進んだ場合は、それ以降、アンテナ切換制御部９は、ホイップアンテナ１を選択した状態で、一定時間毎に受信状況判定を行うようにする。
即ちステップＦ１１６でタイムカウントをスタートさせ、ステップＦ１１７で所定時間が経過したか否かの判別を行う。
ステップＦ１１７で所定時間の経過を待機した後は、ステップＦ１１８に進む。
【００５２】
アンテナ切換制御部９はステップＦ１１８においては、ヘッドフォンジャック１６にヘッドフォン１７のプラグが接続されているか否かの判別を行う。これは、ヘッドフォン１７が取り外されたか否かを確認する処理となる。
もし、ヘッドフォン１７が取り外された場合は、アンテナ選択処理は不要であり、当然ながら、次にヘッドフォン１７が接続されるまでの間は、ホイップアンテナ１を継続して選択するものとなる。従って、ステップＦ１１８でヘッドフォン１７の非接続が検出された場合は、ステップＦ１０３に戻る。そしてステップＦ１０３で、ヘッドフォン１７が接続されるまでホイップアンテナ１を受信アンテナとして信号を受信する。
【００５３】
ステップＦ１１７で一定時間経過と判定した後、ヘッドフォン１７の接続が維持されていれば、アンテナ切換制御部９はステップＦ１１９で、電界強度検出部６において測定されたホイップアンテナ１が受信した信号の電界強度の測定結果を受信評価値として取り込み、その受信評価値を、ホイップアンテナ１に係る最新の受信評価値として制御部８内の記憶部に記録（更新）する。
続いてアンテナ切換制御部９はステップＦ１２０で、アンテナセレクタ２をヘッドフォン１７側に切り換える。つまりヘッドフォン１７を受信アンテナとして用いる状態とする。
そしてステップＦ１２１でアンテナ切換制御部９は、電界強度検出部６から供給されるヘッドフォン１７が受信した信号の電界強度の測定結果を受信評価値として検出する。そしてその受信評価値を、ヘッドフォン１７に係る最新の受信評価値として制御部８内の記憶部に記録（更新）する。
【００５４】
ステップＦ１２２においてアンテナ切換制御部９は、上記ステップＦ１１９において記憶したホイップアンテナ１の受信評価値と、上記ステップＦ１２１において記憶したヘッドフォン１７の受信評価値とを比較する。
そして、ステップＦ１２３でアンテナ切換制御部９は、ホイップアンテナ１の受信評価値とヘッドフォン１７の受信評価値とを比較した結果、どちらのアンテナが良好な受信感度であるかを判別する。
【００５５】
そして、アンテナ切換制御部９は、ステップＦ１２２においてヘッドフォン１７の方が受信感度が良好であるとの判別結果を得た場合は、そのままヘッドフォン１７をアンテナとして用いる選択状態を維持したままステップＦ１０５へ進む。
また、アンテナ切換制御部９は、ホイップアンテナ１の方が受信感度が良好であるとの判別結果を得た場合は、ステップＦ１１５へ進む。この場合、受信状況の比較のために一旦ヘッドフォン１７側に切り換えたアンテナセレクタ２をホイップアンテナ１側に戻してステップＦ１１６へ進む。そしてステップＦ１１６以降で、一定時間経過を待機し、上記同様の処理を行う。
【００５６】
つまりこの図３の処理が実行されることで、ヘッドフォン１７が接続された場合は、まずヘッドフォン１７が受信アンテナとして用いられるが、一定時間毎にヘッドフォン１７による受信状況が判定される。そしてヘッドフォン１７の受信状況が悪化した場合、ホイップアンテナ１による受信状況と比較し、良好な方を選択するようにしている。また、その結果としてホイップアンテナに切り換えた後も、一定時間毎にホイップアンテナ１による受信状況が判定され、かつヘッドフォン１７の受信状況と比較される。そして比較結果に応じて良好な方を選択するものである。
【００５７】
ここまで説明してきた第１の実施の形態では、ヘッドフォン１７が接続された場合は、このヘッドフォン１７を優先させて受信アンテナとするとともに、ヘッドフォン１７による受信状況が悪化した場合は、ホイップアンテナ１とヘッドフォン１７の受信評価値を比較することで、より受信感度が良好な方を受信アンテナとして選択するものとしている。これにより、できる限り良好な受信動作を保つことができる。
なお、ステップＦ１０６、Ｆ１１７で一定時間を待機することで、一定時間毎に受信状況判定を行うようにしているが、これは、常時、受信状況を判定してしまって、あまりに頻繁にアンテナ切換が行われることを防止するためである。
一定時間とは、例えば５秒、１０秒程度でもよいし、３０秒、１分以上などでもよいが、実用上、適切な時間とすればよい。
【００５８】
また本例では、常時、ホイップアンテナ１による受信状況と、ヘッドフォン１７による受信状況を、並行して監視するものではない。即ち、電界強度検出（もしくはエラーレートやＳ／Ｎ等）は、あくまでも選択中のアンテナについての値として検出されるのみである。
これは、評価値検出のために各アンテナに対応して２つの電界強度検出系或いは復調系を設けることを必要としないことを意味する。つまり、構成の煩雑化を招かずに、各アンテナでの受信状況比較を実現できることになる。
【００５９】
[第２の実施の形態]
続いて第２の実施の形態としての処理例を図４で説明する。
図４の第２の実施の形態の処理は、次の（１）〜（３）考え方を基本とする処理である。
（１）ヘッドフォン１７の非接続時は無条件にホイップアンテナ１を選択して受信動作を行う。
（２）ヘッドフォン１７の接続が検出された時点でも、即座にヘッドフォン１７を選択することはせずに、その時点のホイップアンテナ１の選択状態を維持したまま、一定時間毎に受信状況を判定する。そして判定結果に応じて、ヘッドフォン１７の方が良好であればヘッドフォン１７側に切り換える。
（３）ヘッドフォン１７を受信アンテナとした後も、一定時間毎に受信状況を判定し、判定結果に応じて、ホイップアンテナ１の方が良好であればホイップアンテナ１側に切り換える。
【００６０】
以下に、このような動作を実現するためのアンテナ切換制御部９が行う処理手順例である第２の実施の形態を図４に示して説明していく。
ステップＦ２０１からステップＦ２０３においてアンテナ切換制御部９は、図３のステップＦ１０１からステップＦ１０３の処理と同様の処理を行う。
即ち、携帯用信号受信装置１００の電源がＯＮとなったら、アンテナ切換制御部９はステップＦ２０１からＦ２０２に進む。ここで、初期選択としてアンテナセレクタ２をホイップアンテナ１側に制御する。
そしてアンテナ切換制御部９はステップＦ２０３で、ヘッドフォンジャック１６にヘッドフォン１７のプラグが接続されたか否かを判別する。ヘッドフォン１７が非接続であれば、ステップＦ２０３の監視処理を続けることになる。
【００６１】
ある時点でユーザがヘッドフォン１７を接続したとすると、アンテナ切換制御部９はその接続を検知し、処理をステップＦ２０４へ進める。なお、電源オンの当初から、ヘッドフォン１７が接続されていれば、電源オン直後にステップＦ２０４まで進むことになる。
ステップＦ２０４でアンテナ切換制御部９は、ホイップアンテナ１が選択された状態において、タイムカウントをスタートさせ、ステップＦ２０５で所定時間が経過したか否かの判別を行う。
所定時間が経過するまでは、アンテナ切換制御部９はステップＦ２０６で、ヘッドフォン１７の接続状態の判別を行う。もし、一定時間経過前に、ヘッドフォン１７が取り外された場合、ステップＦ２０６からＦ２０７へ進み、アンテナ切換制御部９は上記ステップＦ２０４でスタートさせたタイムカウントを終了させ、ステップＦ２０３に戻る。つまり、ヘッドフォン１７がアンテナとして使用できなくなったことに応じて、一定時間毎の受信状況判別を中止し、そのままホイップアンテナ１の選択状態を維持する。
【００６２】
ヘッドフォン１７の接続が保たれた状態において一定時間を経過した場合は、アンテナ切換制御部９はステップＦ２０８へ進む。
ステップＦ２０８でアンテナ切換制御部９は、受信アンテナとしてホイップアンテナ１を使用している現在の受信評価値を検出し、その受信評価値を記録（又は更新）する。
つまり、アンテナ切換制御部９は、電界強度検出部６において測定されたホイップアンテナ１が受信した信号の電界強度の測定結果を受信評価値とし、その受信評価値を制御部８内の記憶部（ＲＡＭ又は不揮発性メモリ等）に記録する。また、既に当該記憶部においてホイップアンテナ１の受信評価値が記憶されている場合、新たに検出した受信評価値を最新の受信評価値として更新することになる。
【００６３】
続いて、ステップＦ２０９においてアンテナ切換制御部９は、上記ステップＦ２０８で得た現在の受信評価値が、予め定められた所定の受信評価値の基準値をクリアしているか否かの判別を行う。この基準値とは、受信アンテナの受信感度の良い悪いを判断するための基準の閾値であり、第１の実施の形態で述べた基準値と同じである。
アンテナ切換制御部９は、ステップＦ２０９で、現在の受信アンテナの受信評価値が基準値をクリアしており、受信アンテナは良好な感度で信号を受信しているとの判別結果が得られた場合は、ステップＦ２０４へ戻る。即ち、再び一定時間後の受信状況判定のためにタイムカウントをスタートさせる。
【００６４】
一方、ステップＦ２０９において、現在の受信アンテナの受信評価値が基準値を下回った、つまり受信状況が悪化していると判断した場合、アンテナ切換制御部９はステップＦ２１０に進む。この場合、アンテナセレクタ２においてヘッドフォン１７が選択されるようにする。
次に、ステップＦ２１１においてアンテナ切換制御部９は、電界強度検出部６において測定された、現在の受信アンテナであるヘッドフォン１７が受信した信号の電界強度の測定結果としての受信評価値を検出する。そして、その現在のヘッドフォン１７に係る受信評価値を、制御部８の内部の記憶部（ＲＡＭ又は不揮発性メモリ等）に記録する。既に記憶部においてヘッドフォン１７の受信評価値が記憶されている場合は、新たに検出した受信評価値を最新の値として更新する。
【００６５】
そして、ステップＦ２１２でアンテナ切換制御部９は、上記ステップＦ２０８において記憶したホイップアンテナ１の受信評価値と、上記ステップＦ２１１において記憶したヘッドフォン１７の受信評価値とを比較する。
続くステップＦ２１３でアンテナ切換制御部９は、上記ステップＦ２１２でヘッドフォン１７の受信評価値とホイップアンテナ１の受信評価値とを比較した結果、どちらのアンテナが良好な受信感度であるかを判別する。
これは、上記ステップＦ２０９においてホイップアンテナ１の受信評価値が基準値を下まわり、受信感度が悪い状態にあるので、ヘッドフォン１７と受信評価値を比較してより受信感度の良好な方を受信アンテナとして選択するためである。
【００６６】
そして、ステップＦ２１３においてアンテナ切換制御部９は、ホイップアンテナ１の受信感度の方が良好であるとの判別結果を得た場合は、ステップＦ２０２へ戻る。つまり受信状況の比較のために一旦ヘッドフォン１７側に切り換えたアンテナセレクタ２をホイップアンテナ１側に戻して、上記同様の処理が行われる。即ちこの場合は、ヘッドフォン１７は接続状態であるため、ステップＦ２０４に進み、一定時間を待機することになる。
【００６７】
また、ヘッドフォン１７の受信感度の方が良好であるとの判別結果を得た場合は、ヘッドフォン１７の選択状態を維持してステップＦ２１５に進む。
ステップＦ２１５に進んだ場合は、それ以降、アンテナ切換制御部９は、ヘッドフォン１７を選択した状態で、一定時間毎に受信状況判定を行うようにする。
即ちステップＦ２１５でタイムカウントをスタートさせ、ステップＦ２１６で所定時間が経過したか否かの判別を行う。
またこの間、ステップＦ２１７でヘッドフォン１７の接続状態を監視し、もし、ヘッドフォン１７が取り外された場合は、ステップＦ２１８でタイムカウントを終了させ、ステップＦ２０２に戻る。即ちホイップアンテナ１の選択状態に切り換える。
【００６８】
ステップＦ２１６で所定時間の経過を待機した後は、ステップＦ２１９に進む。
アンテナ切換制御部９はステップＦ２１９においては、電界強度検出部６において測定されたヘッドフォン１７が受信した信号の電界強度の測定結果を受信評価値として取り込み、その受信評価値を、ヘッドフォン１７に係る最新の受信評価値として制御部８内の記憶部に記録（更新）する。
【００６９】
続いて、ステップＦ２２０においてアンテナ切換制御部９は、上記ステップＦ２１９で得た現在の受信評価値が、予め定められた所定の受信評価値の基準値をクリアしているか否かの判別を行う。
現在の受信アンテナであるヘッドフォン１７の受信評価値が基準値をクリアしており、ヘッドフォン１７は良好な感度で信号を受信しているとの判別結果が得られた場合は、ステップＦ２１５へ戻る。即ち、再び一定時間後の受信状況判定のためにタイムカウントをスタートさせる。
【００７０】
一方、ステップＦ２２０において、現在の受信評価値が基準値を下回った、つまり受信状況が悪化していると判断した場合、アンテナ切換制御部９はステップＦ２２１に進む。この場合、アンテナセレクタ２においてホイップアンテナ１が選択されるようにする。
そしてステップＦ２２２でアンテナ切換制御部９は、電界強度検出部６から供給されるホイップアンテナ１が受信した信号の電界強度の測定結果を受信評価値として検出する。そしてその受信評価値を、ホイップアンテナ１に係る最新の受信評価値として制御部８内の記憶部に記録（更新）する。
【００７１】
ステップＦ２２３においてアンテナ切換制御部９は、上記ステップＦ２１９において記憶したヘッドフォン１７の受信評価値と、上記ステップＦ２２２において記憶したホイップアンテナ１の受信評価値とを比較する。
そして、ステップＦ２２４でアンテナ切換制御部９は、ホイップアンテナ１の受信評価値とヘッドフォン１７の受信評価値とを比較した結果、どちらのアンテナが良好な受信感度であるかを判別する。
【００７２】
アンテナ切換制御部９は、ステップＦ２２４においてホイップアンテナ１の方が受信感度が良好であるとの判別結果を得た場合は、そのままホイップアンテナ１をアンテナとして用いる選択状態を維持したままステップＦ２０４へ進む。
また、ヘッドフォン１７の方が受信感度が良好であるとの判別結果を得た場合は、ステップＦ２１４へ進む。この場合、受信状況比較のために一旦ホイップアンテナ１側としたアンテナセレクタ２をヘッドフォン１７側に戻し、ステップＦ１１６へ進む。そしてステップＦ１１６以降で、一定時間経過を待機し、上記同様の処理を行う。
【００７３】
つまりこの図４の処理が実行されることで、ヘッドフォン１７が接続され、ホイップアンテナ１とヘッドフォン１７の両方が受信アンテナとして利用できる状態にあるときは、その時点の選択状態を維持したまま、一定時間毎に受信状況が判定される。そして受信状況が悪化し、他方の方が良好であると判断された場合に、他方のアンテナに切り換える動作が行われる。
このような第２の実施の形態においても、第１の実施の形態と同様の効果を得ることができる。
[変形例]
【００７４】
以上、本発明の実施の形態について説明したが、本発明としてはこれまでに説明した実施の形態に限定されるべきものではない。
例えば、第１の実施の形態のように、ヘッドフォン１７を優先して受信アンテナとするとは反対にホイップアンテナ１を優先して受信アンテナとしてもよい。つまり、ヘッドフォン１７が接続されたら、ホイップアンテナ１の受信感度が基準値を下まわった場合にヘッドフォン１７の受信評価値と比較するようにしてもよい。
【００７５】
また、図３のステップＦ１０５，Ｆ１１６、或いは図４のステップＦ２０４、Ｆ２１５でカウントを開始する一定時間は、携帯用信号受信装置１００にあらかじめ設定されている時間とするほか、ユーザが操作部２１等を操作して任意に設定できるようにしてもよい。  或いは受信評価値を比較する基準値として、複数段階の基準値を用い、受信状況を複数段階で判定して、その判定結果に応じて待機する一定時間を変化させることも考えられる。例えば受信状況が比較的良好でない場合は、短い間隔で受信状況判定を行うようにする例である。
【００７６】
また、ヘッドフォン１７の接続有無については、検出専用のメカニカルスイッチをヘッドフォンジャック１６内に設け、当該メカニカルスイッチのオン／オフによって判定するなど、他の接続有無検出手法も考えられる。
また本発明は、３つ以上のアンテナを選択的に使用できる受信装置にも適用できる。
【図面の簡単な説明】
【００７７】
【図１】本発明の実施の形態の携帯用信号受信装置のブロック図である。
【図２】実施の形態の携帯用信号受信装置におけるヘッドフォンジャック周辺回路を詳細に示したブロック図である。
【図３】第１の実施の形態の処理例のフローチャートである。
【図４】第２の実施の形態の処理例のフローチャートである。
【符号の説明】
【００７８】
１  ホイップアンテナ、２  アンテナセレクタ、３  フロントエンド、４，１４ａ，１４ｂ  アンプ、５  ＯＦＤＭ復調部、６  電界強度検出部、７  ＭＰＥＧデコード部、８  制御部、９  アンテナ切換制御部、９ａ  入力端子、１０  表示部、１１  アナログ音声処理部、１２  Ｄ／Ａ変換部、１３  マスタクロック発生部、１５ａ，１５ｂ  スピーカ、１６  ヘッドフォンジャック、１７  ヘッドフォン、１７ａ，１８  Ｒｃｈ端子、１７ｂ，１９  Ｌｃｈ端子、１７ｃ，２０  グランド端子、２１  操作部、１００  携帯用信号受信装置
【図１】
2009272947.tif 000003
【図２】
2009272947.tif 000004
【図３】
2009272947.tif 000005
【図４】
2009272947.tif 000006